(57)【特許請求の範囲】
【請求項１】
エネルギシステムにおけるエネルギ処理状況に関するデータを表示するためのエネルギ表示装置であって、
エネルギ処理の内容を示すデータ項目、および処理期間の少なくとも一方が異なる複数のデータの中から、表示対象データを選択するための操作部と、
少なくとも前記操作部によって選択された前記表示対象データを、表示画面に表示するように構成された表示部とを備え、
前記操作部は、
前記表示対象データの前記処理期間を設定するための第１の操作手段と、
前記表示対象データの前記データ項目を設定するための第２の操作手段とを含み、
前記表示部は、
前記表示画面の上部に配置され、前記表示対象データを、前記処理期間よりも短い期間のデータに細分化してグラフ表示するための第１の表示領域と、
前記表示画面における前記第１の表示領域の下部に配置され、前記第１の操作手段により設定された前記処理期間を表示するための第２の表示領域と、
前記表示画面における前記第１の表示領域の下部において、前記第２の表示領域から離間して配置され、前記第２の操作手段により設定された前記データ項目を表示するための第３の表示領域と、
前記表示画面における前記第１の表示領域の下部において、前記第２の表示領域と前記第３の表示領域との間に配置され、前記表示対象データを数値表示するための第４の表示領域とを含み、
前記第４の表示領域は、当該領域内に表示される数字および文字の個数に応じて、前記数字もしくは前記数字および文字のサイズを変更するように構成される、エネルギ表示装置。
【請求項２】
前記第４の表示領域は、第１の個数からなる数字および文字を表示するときには、前記第１の個数よりも多い第２の個数からなる数字および文字を表示するときに比べて、前記数字もしくは前記数字および文字のサイズを大きくする、請求項１に記載のエネルギ表示装置。
【請求項３】
前記第１の操作手段は、前記第２の操作手段に比べて、前記第２の表示領域に近い位置に配置され、
前記第２の操作手段は、前記第１の操作手段に比べて、前記第３の表示領域に近い位置に配置される、請求項１または２に記載のエネルギ表示装置。
【請求項４】
前記表示部および前記操作部は、タッチパネルを構成し、
前記タッチパネル上において、前記第２の表示領域と前記第１の操作手段とは、互いに重なる位置に配置される、請求項１または２に記載のエネルギ表示装置。
【請求項５】
前記表示部および前記操作部は、タッチパネルを構成し、
前記タッチパネル上において、前記第３の表示領域と前記第２の操作手段とは、互いに重なる位置に配置される、請求項１または２に記載のエネルギ表示装置。
【発明の詳細な説明】
【技術分野】
【０００１】
この発明は、エネルギ表示装置に関し、より特定的には、エネルギ処理状況に関するデータをグラフ表示するためのエネルギ表示装置に関する。
【背景技術】
【０００２】
エネルギシステムにおいて、所定期間におけるエネルギ処理状況に関するデータをリモコンに表示することが行なわれている。
【０００３】
たとえば、特許第５７２９０１１号公報（特許文献１）に記載されるエネルギシステムのリモコンでは、表示画面中に、選択対象となるエネルギ処理の内容に関する複数の項目からなる第１の選択メニューが横方向に並んだ複数のタブを用いて表示されるとともに、所定期間に関する複数の項目からなる第２の選択メニューが縦方向に並んだ複数のタブを用いて表示されるように構成されている。そして、上記構成において、操作手段の操作によってそれぞれ選択された第１の選択メニュー中の項目と第２の選択メニュー中の項目とに対応する選択データが、表示部に表示される。
【先行技術文献】
【特許文献】
【０００４】
【特許文献１】特許第５７２９０１１号公報
【発明の概要】
【発明が解決しようとする課題】
【０００５】
エネルギ表示装置においては、エネルギ処理の内容の多様化に伴ない、表示するデータ項目および処理期間等を示すパラメータの数が増えており、多種多様な表示を行なう必要が生じている。
【０００６】
しかしながら、上記特許文献１の表示では、パラメータの数が増えると表示画面に表示されるタブの数も増えるため、表示画面内が混雑した状態となり、ユーザの視認性を低下させる可能性がある。
【０００７】
なお、ユーザの視認性を良くするためには、表示画面のサイズを大きくすることが有効であるが、表示画面の大型化がリモコンの大型化およびコストアップに繋がるという問題がある。
【０００８】
この発明はこのような問題点を解決するためになされたものであって、この発明の目的は、エネルギ処理状況に関するデータの表示におけるユーザの視認性を高めることである。
【課題を解決するための手段】
【０００９】
この発明のある局面では、エネルギシステムにおけるエネルギ処理状況に関するデータを表示するためのエネルギ表示装置であって、エネルギ処理状況を示すデータ項目、および処理期間の少なくとも一方が異なる複数のデータの中から、表示対象データを選択するための操作部と、少なくとも操作部によって選択された表示対象データを、表示画面に表示するように構成された表示部とを備える。操作部は、表示対象データの処理期間を設定するための第１の操作手段と、表示対象データのデータ項目を設定するための第２の操作手段とを含む。表示部は第１〜第４の表示領域を含む。第１の表示領域は、表示画面の上部に配置され、表示対象データを、処理期間よりも短い期間のデータに細分化してグラフ表示する。第２の表示領域は、表示画面における第１の表示領域の下部に配置され、第１の操作手段により設定された処理期間を表示する。第３の表示領域は、表示画面における第１の表示領域の下部において、第２の表示領域から離間して配置され、第２の操作手段により設定されたデータ項目を表示する。第４の表示領域は、表示画面における第１の表示領域の下部において、第２の表示領域と第３の表示領域との間に配置され、表示対象データを数値表示する。第４の表示領域は、当該領域内に表示される数字および文字の個数に応じて、当該数字もしくは当該数字および文字のサイズを変更するように構成される。
【００１０】
上記エネルギ表示装置によれば、表示画面の上部には、表示対象となる「エネルギ処理状況に関するデータ」である表示対象データがグラフ表示されるとともに、表示画面の下部において、表示対象データの処理期間とデータ項目とが互いに離間して表示され、かつ、処理期間とデータ項目との間に、表示対象データが数値表示される。このようにすると、グラフ表示および数値表示の一体性を高めることができる。また、ユーザは、数値表示の両側に表示されたデータ項目および処理期間から、表示対象データのデータ項目および処理期間を一目見て把握することができる。さらに、第４の表示領域の全域を使って数値表示を行なうことができるため、数値表示の視認性を確保することができる。
【００１１】
なお、本発明において、「エネルギ処理状況」とは、エネルギの消費に関する事項だけではなく、たとえばエネルギを発生させたり、あるいは売電するといった状況も含み意である。また、「エネルギ処理状況に関するデータ」とは、上述したようなエネルギ処理状況を直接示すデータ（たとえば、エネルギ消費量や発電量など）に加え、たとえばエネルギ消費量を金額や二酸化炭素の発生量で示すなど、エネルギ処理状況を間接的に示すデータを含む意である。
【００１２】
好ましくは、第４の表示領域は、第１の個数からなる数字および文字を表示するときには、第１の個数よりも多い第２の個数からなる数字および文字を表示するときに比べて、数値および文字のサイズを大きくする。
【００１３】
このようにすると、第４の表示領域内に表示される数字および文字の数が少ない場合であっても、第４の表示領域の全域を使って数値表示が行なうことができるため、数値表示の視認性を確保することができる。
【００１４】
好ましくは、第１の操作手段は、第２の操作手段に比べて、第２の表示領域に近い位置に配置される。第２の操作手段は、第１の操作手段に比べて、第３の表示領域に近い位置に配置される。
【００１５】
このようにすると、第１の操作手段と第２の操作手段とを互いに離間して配置することができるため、ユーザが表示対象データを選択するときの誤動作を防ぐことができる。
【００１６】
好ましくは、表示部および操作部は、タッチパネルを構成する。タッチパネル上において、第２の表示領域と第１の操作手段とは、互いに重なる位置に配置される。
【００１７】
このようにすると、ユーザは、第２の表示領域に直接触れることで、表示対象データの処理期間を設定できるため、ユーザの操作性が向上する。また、第１の操作手段を構成するアイコンが第１の表示領域の下部に配置されるため、ユーザは、第１の表示領域に表示されるグラフを確認しながら、当該アイコンを操作して処理期間を設定することができる。したがって、表示対象データを選択するための操作を行なうときのユーザの視認性が向上する。
【００１８】
好ましくは、表示部および操作部は、タッチパネルを構成する。タッチパネル上において、第３の表示領域と第２の操作手段とは、互いに重なる位置に配置される。
【００１９】
このようにすると、ユーザは、第３の表示領域に直接触れることで、表示対象データのデータ項目を設定できるため、ユーザの操作性が向上する。また、第２の操作手段を構成するアイコンが第１の表示領域の下部に配置されるため、ユーザは、第１の表示領域に表示されるグラフを確認しながら、当該アイコンを操作してデータ項目を設定することができる。したがって、表示対象データを選択するための操作を行なうときのユーザの視認性が向上する。
【発明の効果】
【００２０】
この発明によれば、エネルギ処理状況に関するデータの表示におけるユーザの視認性を高めることができる。
【図面の簡単な説明】
【００２１】
【図１】本発明の実施の形態に従うエネルギ表示装置が適用されるエネルギシステムの構成例を示すブロック図である。
【図２】本実施の形態に従うエネルギ表示装置におけるデータ表示の第１の画面例を示す図である。
【図３】表示対象データの遷移図である。
【図４】第２の表示領域および第３の表示領域におけるアイコンの他の表示例を示す図である。
【図５】本実施の形態に従うエネルギ表示装置におけるデータ表示の第２の画面例を示す図である。
【図６】本実施の形態に従うエネルギ表示装置におけるデータ表示の第３の画面例を示す図である。
【図７】第４の表示領域における表示対象データの数値表示例を示す図である。
【図８】第４の表示領域における表示対象データの数値表示例を示す図である。
【図９】図１におけるリモコンの前面図である。
【発明を実施するための形態】
【００２２】
以下に、本発明の実施の形態について図面を参照して詳細に説明する。なお以下では、図中の同一または相当部分には同一符号を付してその説明は原則的には繰返さないものとする。
【００２３】
図１は、本発明の実施の形態に従うエネルギ表示装置が適用されるエネルギシステムの構成例を示すブロック図である。
【００２４】
図１を参照して、エネルギシステム１００は、ユーザインタフェースのためのリモートコントール装置２００（以下、単に「リモコン２００」とも称する）へのユーザ入力に応じて制御される。以下の説明で明らかになるように、図１に例示されたエネルギシステム１００は、コージェネレーションシステムとして構成されている。
【００２５】
エネルギシステム１００は、ガスエンジンで構成される熱源機２５と、熱源機２５からの動力によって運転される発電機２０と、ソーラ電池パネル２６とを備える。すなわち、エネルギシステム１００は、複数の発電要素を有する。ソーラ電池パネル２６による発電電力は、パワーコンディショナ２７によって、系統電源と同等の交流電力に変換された後、屋内分電盤２８に送られる。発電機２０は、作動時には、系統電源と同等の交流電力を屋内分電盤２８へ送出する。
【００２６】
屋内分電盤２８は、家屋内の各所へ電力を分配する。発電機２０およびパワーコンディショナ２７から屋内分電盤２８へ出力された発電電力よりも、屋内分電盤２８から家屋内へ供給される消費電力が大きい場合には、不足分の電力が系統電源より買電される。反対に、発電電力が消費電力よりも大きい場合には、太陽光発電による発電電力のうち、余剰分の電力が系統電源へ売電される。売電量および買電量は、電力量計２９ａによって計測される。
【００２７】
エネルギシステム１００は、さらに、熱交換器を有する加熱装置２１と、貯湯タンク２２と、補助熱源機２３と、コントローラ２４とを備える。
【００２８】
加熱装置２１は、熱源機２５からの排熱を利用した熱交換によって、入水を加熱することによって温水を生成する。加熱装置２１で生成された温水は貯湯タンク２２に貯留される。補助熱源機２３は、たとえば、ガス燃焼方式の熱源機によって構成される。貯湯タンク２２に貯留された温水は、補助熱源機２３によって加熱され、または加熱されることなく所定温度に調整されて、一般給湯用に用いられる。エネルギシステム１００への入水量は、水量計２９ｃによって計測される。また、熱源機２５および補助熱源機２３における燃料ガスの消費量は、ガス流量計２９ｂによって計測される。
【００２９】
エネルギシステム１００の各部の動作は、リモコン２００へのユーザ指示（運転オン／オフおよび温度設定、時刻設定等）に従ってエネルギシステム１００が動作するように、コントローラ２４によって制御される。コントローラ２４は、代表的には、マイクロコンピュータによって構成される。
【００３０】
また、電力量計２９ａ、ガス流量計２９ｂ、および水量計２９ｃからの各種エネルギの使用量あるいは売買量のデータは、このコントローラ２４に送信される。なお、補助熱源機２３をガス燃焼方式の熱源機とした場合、そのガス消費量をガス流量計２９ｂで計測させることは可能であるが、必ずしもこれに限定されず、たとえば湯水加熱に要した熱量や燃料ガスの発熱量に基づいて演算する手法を用いることも可能である。
【００３１】
したがって、コントローラ２４は、電力量計２９ａ、ガス流量計２９ｂ、および水量計２９ｃによる計測値に基づいて、上述の「エネルギ処理状況に関するデータ」を取得することができる。
【００３２】
リモコン２００は、たとえば台所や浴室の壁面に固定されて使用される壁掛け方式のものであり、樹脂製の筐体（図示せず）に格納されて構成される。すなわち、リモコン２００は複数個配置されてもよい。
【００３３】
リモコン２００は、制御部２１０と、スピーカ２１３と、マイク２１４と、通信部２２０と、操作部２３０と、表示部３００とを含む。
【００３４】
制御部２１０は、代表的にはマイクロコンピュータによって構成されて、リモコン２００の各部の動作制御やデータ処理を実行する。通信部２２０は、エネルギシステム１００のコントローラ２４との間でデータ通信を実行するように構成される。
【００３５】
表示部３００は、ユーザが視認できる態様で情報やデータを表示するために、液晶パネルあるいは有機ＥＬパネルなどを用いて構成される。後述するように、表示部３００は、所定部位におけるユーザの押圧動作を認識可能に構成できるタッチパネルによって構成されることが好ましい。表示部３００における表示内容は、制御部２１０によって制御される。
【００３６】
操作部２３０は、ユーザ指示を入力するための操作スイッチ（図示せず）を含んで構成される。操作部２３０は、上記タッチパネル上に操作ボタンの態様で表示された所定領域を含む。
【００３７】
スピーカ２１３は、制御部２１０から指令された音声データや音楽データを出力する。これにより、ユーザが聴認される情報を出力できる。また、マイク２１４およびスピーカ２１３を用いて、複数のリモコン２００間でユーザ同士の会話が可能となる。
【００３８】
なお、エネルギシステム１００のコントローラ２４および／またはリモコン２００の制御部２１０には、現在日時などを検知するためのカレンダ・クロック（図示せず）がさらに設けられる。
【００３９】
制御部２１０は、表示部３００を利用したデータ表示を制御することができる。これにより、タッチパネルを含む操作部２３０のスイッチ操作などに基づいて、所定の期間におけるエネルギ消費量や発電量などの「エネルギ処理状況に関するデータ」を表示部３００に表示することができる。すなわち、本実施の形態では、リモコン２００によって「エネルギ表示装置」が構成される。
【００４０】
特に、本実施の形態に従うエネルギ表示装置では、エネルギ処理の内容を示すデータ項目、および処理期間の少なくとも一方が互いに異なる、複数の「エネルギ処理状況に関するデータ」の中から、ユーザによって、表示対象となる「エネルギ処理状況に関するデータ」が選択される。以下では、表示対象となる「エネルギ処理状況に関するデータ」を、単に、「表示対象データ」とも称する。すなわち、エネルギ表示装置は、ユーザによって選択された表示対象データの表示を行なうものである。
【００４１】
制御部２１０は、上記データ表示に必要となる、電力などのエネルギの量を料金に換算するためのデータや、過去のエネルギ消費量のデータなどの種々のデータを記憶している。これらのデータは、コントローラ２４から通信によって取得することができる。あるいは、制御部２１０は、コントローラ２４を介さずに、電力量計２９ａ、ガス流量計２９ｂ、および水量計２９ｃとの直接の通信によって、これらのデータを取得することも可能である。
【００４２】
また、これらのデータはエネルギシステム１００のコントローラ２４に記憶されてもよい。この場合には、データ表示のための制御部２１０からの要求に応じて、コントローラ２４から制御部２１０へ通信部２２０を経由しでデータが送信される。
【００４３】
次に、本実施の形態に従うエネルギ表示装置におけるデータ表示について、表示部３００に表示される画面の具体例を挙げて説明する。
【００４４】
図２は、本実施の形態に従うエネルギ表示装置におけるデータ表示の第１の画面例を示す図である。
【００４５】
図２に示される横長長方形状の表示画面３１０は、表示部３００に示される。表示画面３１０は、表示対象データＤ１のグラフ表示と、表示対象データＤ１の数値表示と、表示対象データＤ１のエネルギ処理の内容を示すデータ項目と、表示対象データＤ１の処理期間とを並べて表示するものである。
【００４６】
なお、本実施の形態において、「表示対象データＤ１」とは、ユーザによって選択された「エネルギ処理状況に関するデータ」についての、ユーザによって設定された処理期間における積算値を表すデータである。また、「表示対象データＤ１のグラフ表示」とは、表示対象データＤ１であるデータ積算値を、上記処理期間よりも短い期間に細分化した内訳データをグラフ表示することである。また、「表示対象データＤ１の数値表示」とは、上記処理期間におけるデータ積算値を数値表示することである。
【００４７】
図２では、エネルギシステム１００での「今年の燃料ガスの使用量」が表示対象データＤ１に選択されている場合の画面例を説明する。本実施の形態では、「エネルギ処理状況に関するデータ」として、上記燃料ガスの使用量の他に、エネルギシステム１００での使用電力量、エネルギシステム１００への入水量等を選択可能である。
【００４８】
図２を参照して、表示画面３１０は、４つの表示領域３０１〜３０４を含む。
第１の表示領域３０１は、表示画面３１０の上部に配置される。第１の表示領域３０１には、表示対象データＤ１がグラフ表示される。たとえば、今日が１０月２０日であり、かつ、処理期間が「今年」であるときには、今年の１月１日〜１０月２０日までの燃料ガスの使用量の積算値が、「今年の燃料ガスの使用量」としてグラフ表示される。図２の例では、今年の燃料ガスの使用量を１か月毎に細分化した内訳データを示すグラフＧ１によって、棒グラフの態様で表示対象データＤ１が表示されている。
【００４９】
なお、グラフＧ１の視認性を低下させないためには、第１の表示領域３０１の幅方向（長辺方向）の長さは、表示画面３１０の幅方向の長さと同等であることが好ましい。また、第１の表示領域３０１の高さ方向（短辺方向）の長さは、表示画面３１０の高さ方向の長さの１／２よりも大きいことが好ましい。
【００５０】
第２の表示領域３０２は、第１の表示領域３０１の下部に配置される。第２の表示領域３０２の幅方向の長さは、第１の表示領域３０１の幅方向の長さよりも短い。第２の表示領域３０２は、幅方向の一方端部（たとえば、左端部）に配置される。
【００５１】
第２の表示領域３０２には、表示対象データＤ１の処理期間が表示される。図２の例では、表示対象データＤ１の処理期間が「今年」に設定されているため、第２の表示領域３０２には「今年」の文字が表示される。
【００５２】
第３の表示領域３０３は、第１の表示領域３０１の下部において、第２の表示領域３０２から離間して配置される。第３の表示領域３０３の幅方向の長さは、第１の表示領域３０１の幅方向の長さよりも短い。第３の表示領域３０３は、幅方向の他方端部（たとえば、右端部）に配置される。
【００５３】
第３の表示領域３０３には、表示対象データＤ１のデータ項目が表示される。図２の例では、表示対象データＤ１のデータ項目が「燃料ガスの使用量」に設定されているため、第３の表示領域３０３には「ガス」の文字が表示される。
【００５４】
第２の表示領域３０２と第３の表示領域３０３とは、互いに離間していることが好ましい。より好ましくは、図２に示されるように、第２の表示領域３０２および第３の表示領域３０３を、表示画面３１０の両端部にそれぞれ配置する。その理由については後述する。
【００５５】
第４の表示領域３０４は、第１の表示領域３０１の下部において、第２の表示領域３０２と第３の表示領域３０３との間に配置される。第４の表示領域３０４の幅方向の長さは、第１の表示領域３０１の幅方向の長さよりも短く、かつ、第２および第３の表示領域３０２，３０３の幅方向の長さよりも長い。
【００５６】
第４の表示領域３０４には、表示対象データＤ１が数値表示される。たとえば、表示対象データＤ１である「今年の燃料ガスの使用量」が「３５０ｍ３」である場合、第４の表示領域３０４には「今年３５０ｍ３」の文字および数字の組合せが表示される。
【００５７】
なお、図２の例では、処理期間（たとえば、今年の１月１日〜１０月２０日）におけるデータの積算値である「３５０ｍ３」と、処理期間である「今年」との組合せが表示されているが、少なくとも「３５０ｍ３」が数値表示されていれば、表示態様はこれに限定されるものではない。
【００５８】
この結果、図２では、表示対象データＤ１に相当する「今年の燃料ガスの使用量」のグラフ表示および数値表示が、表示画面３１０上で同時に行なわれる。これにより、ユーザは、表示画面３１０により、今年の燃料ガスの使用量の数値と、月毎の燃料ガスの使用量の推移とを同時に取得することができる。
【００５９】
表示画面３１０にはさらに、表示対象データＤ１のデータ項目に相当する「ガス」、および、表示対象データＤ１の処理期間に相当する「今年」が表示される。したがって、ユーザは、グラフ表示および数値表示が行なわれている表示対象データＤ１のデータ項目および処理期間を一目見て把握することができる。
【００６０】
また、図２では、第２の表示領域３０２および第３の表示領域３０３を表示画面３１０の両端部にそれぞれ配置し、第２の表示領域３０２と第３の表示領域３０３との間に第４の表示領域３０４を配置したことで、表示画面３１０の下部における幅方向中央部付近に表示対象データＤ１を数値表示させることができる。これにより、グラフ表示および数値表示の一体性を高めることができるため、ユーザの視認性が向上する。
【００６１】
さらに、第２の表示領域３０２および第３の表示領域３０３を離間して配置したことによって、ユーザが表示対象データＤ１を選択するときの誤操作を防ぐことができる。
【００６２】
具体的には、タッチパネルによって構成された表示画面３１０では、第２の表示領域３０２に、表示対象データＤ１の処理期間を設定するためのアイコン３０５を設けることができる。また、第３の表示領域３０３に、表示対象データＤ１のデータ項目を設定するためのアイコン３０６を設けることができる。ユーザがアイコン３０５を操作する毎に、第２の表示領域３０２に表示される処理期間が切替わる。ユーザがアイコン３０６を操作する毎に、第３の表示領域３０３に表示されるデータ項目が切替わる。すなわち、アイコン３０５は、表示対象データＤ１の処理期間を設定するための「第１の操作手段」の一実施例に対応する。アイコン３０６は、表示対象データＤ１のデータ項目を設定するための「第２の操作手段」の一実施例に対応する。
【００６３】
ユーザは、アイコン３０５および３０６を操作することにより、表示対象データＤ１を選択することができる。ユーザの操作性を向上させるためには、アイコン３０５と第２の表示領域３０２とを近接して配置することが好ましく、アイコン３０６と第３の表示領域３０３とを近接して配置することが好ましい。より好ましくは、図２に示されるように、アイコン３０５と第２の表示領域３０２とを互いに重なる位置に配置するとともに、アイコン３０６と第３の表示領域３０３とを互いに重なる位置に配置することができる。
【００６４】
ただし、表示画面３１０において、アイコン３０５とアイコン３０６とを隣接して配置すると、ユーザの誤操作によってユーザが表示させたいデータとは異なるデータが表示画面３１０に表示される場合が生じ得る。そのため、本実施の形態では、図２に示されるように、第２の表示領域３０２と第３の表示領域３０３とを離間して配置することで、アイコン３０５とアイコン３０６とを離間して配置することができる。これにより、ユーザの誤操作による誤ったデータ表示を防止することができる。
【００６５】
また、本実施の形態では、第１の表示領域３０１の下部に、第２および第３の表示領域３０２，３０３を配置したことにより、アイコン３０５，３０６が第１の表示領域３０１の下部に配置されることになる。これにより、ユーザがアイコン３０５，３０６を操作する際に、第１の表示領域３０１の上空をユーザの手指が覆うことがない。したがって、ユーザは、第１の表示領域３０１に表示されるグラフＧ１を確認しながら、アイコン３０５，３０６を操作して表示対象データＤ１のデータ項目および処理期間を設定することができる。したがって、表示対象データＤ１を選択するための操作を行なうときのユーザの視認性が向上する。
【００６６】
（表示対象データＤ１の選択）
次に、アイコン３０５，３０６を用いて表示対象データＤ１が選択されたときのデータ表示の態様を図３〜図５を用いて説明する。
【００６７】
図３は、表示対象データＤ１の遷移図である。図３を参照して、ユーザがアイコン３０６を１回操作する毎に、図中の白矢印の方向に、表示対象データＤ１のデータ項目が、「燃料ガスの使用量」、「電力使用量」、「エネルギシステム１００への入水量」のうちのいずれかを順次選択するように構成されている。表示画面３１０の第３の表示領域３０３には、「燃料ガスの使用量」が選択されたときには「ガス」の文字が表示され、「電力使用量」が選択されたときには「電気」の文字が表示され、「エネルギシステム１００への入水量」が選択されたときには「お湯」の文字が表示される。
【００６８】
また、ユーザがアイコン３０５を１回操作する毎に、図中の黒矢印の方向に、表示対象データＤ１の処理期間が、「今年」、「昨年」、「今月」、「先月」、「今日」、「昨日」のうちのいずれかを順次選択するように構成されている。表示画面３１０の第２の表示領域３０２には、選択された処理期間を示す文字が表示される。なお、データ項目および処理期間の選択の順番は適宜であってよく、図３に示した順番に限定されるものではない。
【００６９】
図４には、第２の表示領域３０２および第３の表示領域３０３におけるアイコンの他の表示例が示される。
【００７０】
図４（ａ）は、第２の表示領域３０２の他の表示例を示す図である。図４（ａ）では、表示対象データＤ１の処理期間として、「今月」が選択されている。そのため、第２の表示領域３０２には、「今月」の文字が表示されたアイコン３０５が配置されている。
【００７１】
第２の表示領域３０２の四隅（左上、左下、右上、右下）の１つ（たとえば、右下）には、次回のアイコン３０５の操作で選択される処理期間を示すためのアイコン３０７がさらに配置されている。たとえば、図３に示した遷移図に基づいて、「先月」の文字が表示されたアイコン３０７が配置されている。
【００７２】
図４（ｂ）は、第３の表示領域３０３の他の表示例を示す図である。図４（ｂ）では、表示対象データＤ１のデータ項目として、「燃料ガスの使用量」が選択されている。そのため、第３の表示領域３０３には、「ガス」の文字が表示されたアイコン３０６が配置されている。
【００７３】
第３の表示領域３０３の四隅（左上、左下、右上、右下）の１つ（たとえば、右下）には、次回のアイコン３０６の操作で選択されるデータ項目を示すためのアイコン３０８がさらに配置されている。たとえば、図３に示した遷移図に基づいて、「電気」の文字が表示されたアイコン３０８が配置されている。
【００７４】
アイコン３０７，３０８は、次回の操作で選択される処理期間およびデータ項目をユーザに予め報知するものである。これにより、ユーザは、スムーズに処理期間およびデータ項目の選択を行なうことができる。
【００７５】
図５には、ユーザがアイコン３０５を操作することによって、表示対象データＤ１の処理期間が変更された場合におけるデータ表示の画面例が示される。
【００７６】
図５（ａ）では、図２と同様に、表示対象データＤ１として、「今年の燃料ガスの使用量」が選択されている。したがって、第１の表示領域３０１には、今年の燃料ガスの使用量がグラフ表示され、第４の表示領域３０４には、今年の燃料ガスの使用量が数値表示される。また、第２の表示領域３０２には、「今年」の文字が表示され、第３の表示領域３０３には、「ガス」の文字が表示される。
【００７７】
図５（ａ）の状態からアイコン３０５が２回操作されると、表示対象データＤ１の処理期間が「今月」となるため、「今月の燃料ガスの使用量」が表示対象データＤ１となる。これに応じて、表示画面３１０では、第２の表示領域３０２の表示が「今月」の文字に切替えられる。また、第１の表示領域３０１には、今月の燃料ガスの使用量がグラフ表示される。図５（ｂ）では、今月の燃料ガスの使用量を１日毎に細分化した内訳データを示すグラフＧ２によって、棒グラフの態様で表示対象データＤ１が表示されている。第４の表示領域３０４には、今月の燃料ガスの使用量（たとえば、１２ｍ３）が数値表示される。図５（ｂ）の例では、第４の表示領域３０４に、「今月１２ｍ３」の文字および数字の組合せが表示される。
【００７８】
図６には、ユーザがアイコン３０６を操作することによって、表示対象データＤ１のデータ項目が変更された場合におけるデータ表示の画面例が示される。
【００７９】
図６（ａ）では、図２と同様に、表示対象データＤ１として、「今年の燃料ガスの使用量」が選択されている。図６（ａ）の状態からアイコン３０６が２回操作されると、表示対象データＤ１のデータ項目が「エネルギシステム１００への入水量」となるため、「今年のエネルギシステム１００への入水量」が表示対象データＤ１となる。これに応じて、表示画面３１０では、第３の表示領域３０３の表示が「お湯」の文字に切替えられる。また、第１の表示領域３０１には、今年のエネルギシステム１００への入水量がグラフ表示される。図６（ｂ）では、今年のエネルギシステム１００への入水量を１か月毎に細分化した内訳データを示すグラフＧ３によって、棒グラフの態様で表示対象データＤ１が表示されている。第４の表示領域３０４には、今年のエネルギシステム１００への入水量（たとえば、１６０ｍ３）が数値表示される。図６（ｂ）の例では、第４の表示領域３０４に、「今年１６０ｍ３」の文字および数字の組合せが表示される。
【００８０】
（数字および文字のサイズ変更）
ここで、本実施の形態では、第４の表示領域３０４は、当該領域内に表示される文字および数字の個数に応じて、当該数字もしくは当該数字および文字のサイズを変更するように構成されている。図７には、第４の表示領域３０４における表示対象データＤ１の数値表示例が示される。
【００８１】
図７（ａ）〜（ｃ）を通じて、第４の表示領域３０４には、表示対象データＤ１の処理期間と、当該処理期間におけるデータ積算値とを表わす文字および数字の組合せが表示されている。
【００８２】
第４の表示領域３０４内に表示される文字および数字の個数は、図７（ａ）が「６」と最も多く、図７（ｃ）が「４」と最も少なくなっている。図７（ａ）〜（ｃ）のいずれにおいても、第４の表示領域３０４の全域が数値表示に用いられるように、文字および数字のサイズが調整されている。このため、文字および数字のサイズは、図７（ａ）が最も小さく、図７（ｂ），図７（ｃ）の順にサイズが大きくなっている。
【００８３】
表示画面３１０の表示面積によっては、第４の表示領域３０４のために十分なスペースを確保できない場合がある。このような場合であっても、限られたスペースを最大限に利用して文字および数字が表示されるため、数値表示の視認性を確保できる。
【００８４】
なお、第４の表示領域３０４に表示される数字はデータ積算値そのものを表すものであるため、文字のサイズは変更せず、数字のサイズのみを変更することも可能である。図７の場合、数字のサイズは図７（ａ）が最も小さく、図７（ｂ），図７（ｃ）の順に数字のサイズを大きくすることができる。あるいは、たとえば、図８に示されるように、数字部分を強調表示することも可能である。図８の例では、数字の表示色を、文字の表示色とは異ならせている。強調表示には、表示色の変更の他に、表示輝度の変更や点灯表示などが適用可能である。
【００８５】
以上説明したように、本実施の形態に従うエネルギ表示装置によれば、表示画面には、表示対象データＤ１のグラフ表示および数値表示が同時に行なわれるため、表示画面により、処理期間におけるデータの積算値と、処理期間におけるデータの推移とを同時に取得することができる。
【００８６】
表示画面にはさらに、表示対象データＤ１のデータ項目および処理期間が表示されるため、ユーザは、グラフ表示および数値表示が行なわれている表示対象データＤ１のデータ項目および処理期間を一目見て把握することができる。
【００８７】
また、表示画面において、グラフ表示の下部において、表示対象データＤ１の処理期間とデータ項目とは互いに離間して表示され、かつ、処理期間とデータ項目との間に、表示対象データＤ１が数値表示されることにより、グラフ表示および数値表示の一体性を高めることができる。
【００８８】
さらに、表示対象データＤ１の数値表示においては、第４の表示領域３０４内に表示される数字および文字の数に応じて、当該数字および文字のサイズを変更することで、第４の表示領域３０４の全域を使って表示できるため、数値表示の視認性を確保することができる。
【００８９】
さらに、処理期間とデータ項目とを互いに離間して表示したことで、処理期間を表示する第２の表示領域３０２に近接して配置される「第１の操作手段」（たとえば、アイコンまたは操作スイッチ）と、データ項目を表示する第３の表示領域３０３に近接して配置される「第２の操作手段」とを互いに離間して配置することができる。これにより、ユーザが表示対象データを選択するときの誤動作を防ぐことができるため、データ表示におけるユーザの利便性が向上する。
【００９０】
［変形例］
上記の実施の形態に従うエネルギ表示装置において、表示対象データＤ１のデータ項目および処理期間の設定については、表示部３００の外部に設けられたスイッチを用いて行なうことも可能である。すなわち、表示部３００がタッチパネルによって構成されることは必須ではない。
【００９１】
以下では、本実施の形態の変形例として、リモコン２００の操作スイッチを用いて、表示対象データＤ１のデータ項目および処理期間を設定する構成について説明する。
【００９２】
図９は、図１におけるリモコン２００の前面図である。図２を参照して、リモコン２００の筐体２０１の前面部には、表示部３００の表示画面３１０および操作部２３０が設けられる。
【００９３】
操作部２３０は、操作スイッチ２３０ａ〜２３０ｄを含む。操作スイッチ２３０ａ〜２３０ｄはそれぞれ、エネルギシステム１００に所定の動作を実行させるために用いられる。操作スイッチ２３０ａ〜２３０ｄの一部はさらに、上記データ表示において、表示対象データＤ１のデータ項目および処理期間を設定するために用いられる。すなわち、表示対象データＤ１の処理期間を選択するための操作スイッチは、「第１の操作手段」の一実施例に対応する。表示対象データＤ１のデータ項目を選択するための操作スイッチは、「第２の操作手段」の一実施例に対応する。
【００９４】
ユーザの誤操作を防ぐためには、第１の操作手段は、第２の操作手段に比べて、第２の表示領域３０２に近い位置に配置されることが好ましい。また、第２の操作手段は、第１の操作手段に比べて、第３の表示領域３０３に近い位置に配置されることが好ましい。
【００９５】
図９の例では、操作スイッチ２３０ａ〜２３０ｄは、表示画面３１０の下方において、幅方向に並べて配置されている。この場合、第２の表示領域３０２に最も近い操作スイッチ２３０ａを第１の操作手段とすることが好ましく、第３の表示領域３０３に最も近い操作スイッチ２３０ｄを第２の操作手段とすることが好ましい。
【００９６】
これにより、ユーザは、操作スイッチ２３０ａを押圧することによって、表示対象データＤ１の処理期間を設定することができる。ユーザはまた、操作スイッチ２３０ｄを押圧することによって、表示対象データＤ１のデータ項目を設定することができる。たとえば、ユーザが操作スイッチ２３０ａ，２３０ｄを操作すると、図３に示される遷移図に従って、表示対象データＤ１が選択される。
【００９７】
図９の例では、操作スイッチ２３０ａと操作スイッチ２３０ｄとは互いに離間して配置されている。そのため、ユーザの誤操作による誤ったデータ表示を防止することができる。
【００９８】
これにより、実施の形態の変形例に従うエネルギ表示装置においても、実施の形態に従うエネルギ表示装置と同様の効果を得ることができる。
【００９９】
なお、本実施の形態およびその変形例が適用される、エネルギシステム１００およびリモコン２００の構成（図１）は例示に過ぎず、本発明は適用されるシステムの構成に特に限定することなく、「エネルギ処理状況に関するデータ」の表示に共通に適用することができる。
【０１００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０１】
２０  発電機、２１  加熱装置、２２  貯湯タンク、２３  補助熱源機、２４  コントローラ、２５  熱源機、２６  ソーラ電池パネル、２７  パワーコンディショナ、２８  屋内分電盤、２９ａ  電力量計、２９ｂ  ガス流量計、２９ｃ  水量計、１００  エネルギシステム、２００  リモートコントロール装置（リモコン）、２０１  筐体、２１０  制御部、２１３  スピーカ、２１４  マイク、２２０  通信部、２３０  操作部、２３０ａ〜２３０ｄ  操作スイッチ、３００  表示部、３０１  第１の表示領域、３０２  第２の表示領域、３０３  第３の表示領域、３０４  第４の表示領域、３１０  表示画面、３０５〜３０８  アイコン、Ｄ１  表示対象データ、Ｇ１〜Ｇ３  グラフ。
【図１】
0006593101.tif 000002
【図２】
0006593101.tif 000003
【図３】
0006593101.tif 000004
【図４】
0006593101.tif 000005
【図５】
0006593101.tif 000006
【図６】
0006593101.tif 000007
【図７】
0006593101.tif 000008
【図８】
0006593101.tif 000009
【図９】
0006593101.tif 000010